(57)【要約】【課題】  儀式的な様式を備えながら、新たな演出効果の具現化を図った鏡開き装置を提供する点にある。【解決手段】  外殻容器１内の開口部に、複数の分割蓋体２Ａ，２Ｂ，２Ｃから構成される円盤状の鏡蓋２が着脱自在に装着され、鏡蓋２への打撃に伴って散動する少なくとも一つの分割蓋体２Ａに連動して作動するディスプレー手段４が設けられている。【選択図】        図４
2006290392.tif 000002
【特許請求の範囲】
【請求項１】
外殻容器内の開口部に、複数の分割蓋体から構成される円盤状の鏡蓋が着脱自在に装着されている鏡開き装置であって、
前記鏡蓋への打撃に伴って散動する少なくとも一つの分割蓋体に連動して作動するディスプレー手段が設けられている鏡開き装置。
【請求項２】
前記ディスプレー手段に連動された分割蓋体には、分割蓋体の上面よりも上方に突出する打撃誘導用凸部が設けられている請求項１記載の鏡開き装置。
【請求項３】
鏡蓋の分割蓋体が放射状に分割形成されているとともに、前記外套容器の開口部には、この開口部の中心に対して鏡蓋の中心が偏芯する状態で、鏡蓋を構成する分割蓋体の外周縁側を受止める受座が形成され、この受座の幅広側にディスプレー手段が配備され、且つ、幅広側に載置状態で受止められる分割蓋体に連動してディスプレー手段を作動させる構成にしてある請求項１又は２記載の鏡開き装置。
【請求項４】
前記ディスプレー手段が、ディスプレー用小物を破裂とともに内部から飛び出させるクラッカーと、少なくとも一つの分割蓋体の散動に連動してクラッカーを破裂作動させる連係機構とから構成されている請求項１、２又は３記載の鏡開き装置。
【請求項５】
前記外套容器が、正面部に化粧図柄を施した菰樽様態又は酒樽様態に形成されているとともに、前記ディスプレー手段が正面側に配設されている請求項１、２、３又は４記載の鏡開き装置。
【請求項６】
前記外殻容器体の開口部内には、開口又は閉蓋された容器が収容されている請求項１、２、３、４又は５記載の鏡開き装置。
【発明の詳細な説明】
【技術分野】
【０００１】
本発明は、外殻容器内の開口部に、複数の分割蓋体から構成される円盤状の鏡蓋が着脱自在に装着されている鏡開き装置に関する。
【背景技術】
【０００２】
古くから鏡開きは、祝いの席や興業の始めと終わり等に、厳粛性と高揚性を演出する儀式として伝承されている。
一般の鏡開きとしては、予めに蓋開きされた菰樽や酒樽に、蓋板を元の蓋形状に並び載せて鏡蓋を形成し、この鏡蓋を木槌で叩くといった儀式がよく知られている（例えば、特許文献１参照）。
【０００３】
【特許文献１】特開２０００−２７２６２４号公報（第５頁、図9）
【発明の開示】
【発明が解決しようとする課題】
【０００４】
ところが、このような従来の鏡開きは、儀式やその場の雰囲気を盛り上げる演出効果があり伝統的に残されて行く一方で、文明や生活風俗の変化に対応する新たな演出や、簡易的なパーティーや祝いの席等に対応する新たな演出性が望まれている現状も存在している。
【０００５】
本発明は、上述の実状に鑑みて為されたものであって、その主たる課題は、儀式的な様式を備えながら、新たな演出効果の具現化を図った鏡開き装置を提供する点にある。
【課題を解決するための手段】
【０００６】
本発明の請求項１による鏡開き装置の特徴構成は、外殻容器内の開口部に、複数の分割蓋体から構成される円盤状の鏡蓋が着脱自在に装着されている構成において、前記鏡蓋への打撃に伴って散動する少なくとも一つの分割蓋体に連動して作動するディスプレー手段が設けられている点にある。
【０００７】
上記特徴構成によれば、鏡蓋への打撃に伴って分割蓋体が散動する、所謂、鏡開きといった演出と、この演出と連動するディスプレー手段による演出を表出することができる。
【０００８】
そのため、鏡開きといった儀式的な様式を備えながら、新たな演出効果の具現化を図ることができる。
【０００９】
本発明の請求項２による鏡開き装置の特徴構成は、前記ディスプレー手段に連動された分割蓋体には、分割蓋体の上面よりも上方に突出する打撃誘導用凸部が設けられている点にある。
【００１０】
上記特徴構成によれば、鏡開きにおける打撃において、打撃誘導用凸部が設けられた分割蓋体が、打撃の際の目印にすることができ、且つ、打撃誘導用凸部が設けられていない他の分割蓋体よりも、早く打撃することができる。
【００１１】
そのため、ディスプレー手段を鏡開きの演出に連動して確実に作動することができるので、演出表出の信頼性の向上を図ることができる。
【００１２】
本発明の請求項３による鏡開き装置の特徴構成は、鏡蓋の分割蓋体が放射状に分割形成されているとともに、前記外套容器の開口部には、この開口部の中心に対して鏡蓋の中心が偏芯する状態で、鏡蓋を構成する分割蓋体の外周縁側を受止める受座が形成され、この受座の幅広側にディスプレー手段が配備され、且つ、幅広側に載置状態で受止められる分割蓋体に連動してディスプレー手段を作動させる構成にしてある点にある。
【００１３】
上記特徴構成によれば、ディスプレー手段の作動を荷う幅広側の分割蓋体においては、開口部の中心に対して鏡蓋の中心が同芯状態に備えられている場合に比べて、受座を支点として外周縁部の持ち上げ高さや角度を高く設定することができるので、受座の幅広側に配備されたディスプレー手段を大きく開放して最大限に演出を表出することができる。
【００１４】
そのため、演出効果の向上を図ることができる。
【００１５】
本発明の請求項４による鏡開き装置の特徴構成は、前記ディスプレー手段が、ディスプレー用小物を破裂とともに内部から飛び出させるクラッカーと、少なくとも一つの分割蓋体の散動に連動してクラッカーを破裂作動させる連係機構とから構成されている点にある。
【００１６】
上記特徴構成によれば、鏡蓋の鏡開き動作に連動してクラッカーが破裂して内部のディスプレー小物を飛び出させることができる。
【００１７】
そのため、伝統的な鏡開きによる演出に連動してディスプレー手段であるクラッカーの演出を表出することができるので、儀式的な様式を備えながら、新たな演出効果の具現化を図ることができる。
【００１８】
本発明の請求項５による鏡開き装置の特徴構成は、前記外套容器が、正面部に化粧図柄を施した菰樽様態又は酒樽様態に形成されているとともに、前記ディスプレー手段が正面側に配設されている点にある。
【００１９】
上記特徴構成によれば、例えば、正面と背面とが存在する菰樽様態又は酒樽様態の外套容器の正面部側を観者側に向け、鏡開きの打撃者を外套容器の背面側に位置した状態で、鏡蓋の放射状中心部又は正面側の分割蓋体を木槌で叩きつけることによって、鏡開きによる演出は背面側で実施され、ディスプレー手段の演出は正面側で実施されるというように演出のエリア分けが可能となる。
【００２０】
そのため、鏡開きによる演出と、ディスプレー手段による演出とが連動しながらも、観者側で両者の区分を明確に認識することができるとともに、同時に菰樽様態又は酒樽様態の外殻容器体を認識できるので、儀式的な印象を強く与えながら面白味のある演出効果を表出することができる。
【００２１】
本発明の請求項６による鏡開き装置の特徴構成は、前記外殻容器体の開口部内には、開口又は閉蓋された容器が収容されている点にある。
【００２２】
上記特徴構成によれば、鏡開きによる演出とディスプレー手段による演出が終えた状態で、鏡蓋を開蓋することによって、開口部内の容器を露出することができ、この容器に、例えば、お菓子類、酒類、餅等の演出媒体を収容しておくことで、儀式後の趣向の楽しみ方の多様性を形成することができる。
【００２３】
そのため、儀式的な様式を備えながら、サービス性の向上を図ることができる。
【発明を実施するための最良の形態】
【００２４】
以下、本発明の鏡開き装置の実施の形態を図面に基づいて説明する。
鏡開き装置Ａは、図１〜図３に示すように、上部に開口１Ｅが形成された外装体1と、この外装体１に着脱自在に収容可能であるとともに、上部に放射状に３枚の扇状で木製の分割蓋体２Ａ，２Ｂ，２Ｃに分割形成された円盤状の鏡蓋２が着脱自在に備えた内装体３とから外殻容器体Ｂが構成されている。
【００２５】
前記内装体３の開口部３Ａには、この開口部３Ａの中心Ｘ１に対して鏡蓋２の中心Ｘ２が偏芯する状態で、鏡蓋２を構成する分割蓋体２Ａ，２Ｂ，２Ｃの外周縁側を受止める受座３Ｂが形成され、この受座３Ｂの幅広側に載置状態で受止められる分割蓋体２Ａに対応してディスプレー手段４が配置される構成にしてあり、鏡蓋２の放射状中心部を木槌５による打撃に伴って内装体側の受座３Ｂを支点として分割蓋体２Ａ，２Ｂ，２Ｃの外周縁部２ａが持ち上がった状態を経て散動する構成になっている。ここで、この実施形態では、分割蓋体２Ａ，２Ｂ，２Ｃの外周端の上下コーナー部分２ｂ、２ｃが直角形状のものが用いられているため、開口部３Ａの開口縁よりも上側コーナーが突出する構造にして、鏡蓋２の打撃に伴って内装体側の受座３Ｂを支点として分割蓋体２Ａ，２Ｂ，２Ｃの外周縁部２ａが引っ掛かりなく持ち上げ可能にするものを図示しているが、分割蓋体２Ａ，２Ｂ，２Ｃの外周端の下コーナー部分を面取りして、開口部Ａの開口縁と面一状態に載置可能な構造して、鏡蓋２の打撃に伴って内装体側の受座３Ｂを支点として分割蓋体２Ａ，２Ｂ，２Ｃの外周縁部２ａが引っ掛かりなく持ち上げ可能になっているものであってもよい。
【００２６】
前記外装体１は、正面部に化粧図柄１ａを施した菰樽様態又は酒樽様態に形成され、この外装体１の正面部に対応して鏡蓋２を構成する分割蓋体２Ａの一つが配置され、この正面側の分割蓋体２Ａに対応してディスプレー手段４が配備されている。化粧図柄１ａは、例えば、登録商標された酒名、会社名、模様等がスクリーン印刷などによって描かれている。
【００２７】
また、外装体１は、上面開口の有底筒状に成型された発泡スチロール製の芯材１Ａに対して、合成樹脂製素材から形成されたシート状の菰部材１Ｂを、胴回りには周方向に巻装し、上部開口には外側から内側に巻き込んで、芯材を菰部材で包囲した状態で、合成樹脂素材からなる太縄部材１Ｃと細縄部材１Ｄ等を用いて菰部材を芯材に留め付けて形成されている。
【００２８】
前記菰部材１Ｂには、菰素材であるムシロ（菰）形態の立体模様や色彩が施され、各種縄部材においても、藁縄形態に形成されている。
【００２９】
前記樽状本体部１は、周方向に沿って３箇所に、上下方向に太縄部材１Ｃが立ち上げ配置され、上部に巻装された細縄部材１Ｄと一緒に巻止められ、各縄部材１Ｃ，１Ｄにおいては、先端が結び目となっている。
【００３０】
前記芯材１Ａは、中間高さ位置で上部開口部より小径となる内周中間段差１Ａａが形成され、重心を低くして倒れ難くしてあるとともに、底部の中心部には底孔１Ａｂが開口形成され、太縄部材１Ｃ同士の下部結び留め部分１Ｃａの一部が嵌り込むように構成されている。
【００３１】
前記内装体３は、外装体１の芯材１Ａの内周面形状に対応するように、底板部、縦木などを組付けた木枠形状の本体部３Ｃと、外装体１の開口１Ｅに対応する天板部３Ｄとを一体的に組付けて構成され、前記天板部３Ｄの上部の円形凹部３Ｅに鏡蓋２が着脱自在に設けられている受座３Ｂと開口部３Ａとが形成されている。
【００３２】
前記ディスプレー手段４は、図５に示すように、ディスプレー用小物７ａを破裂とともに内部から飛び出させるクラッカー７と、少なくとも一つの分割蓋体２ａの散動に連動してクラッカー７を破裂作動させる連係機構８とから構成されている。
【００３３】
前記クラッカー７は、三角垂状の本体部７Ａに頂点部から導出された紐７Ｂを、本体部７Ａに対して引っ張って本体部内に収容されたディスプレー用小物７ａを破裂とともに内部から飛び出させる構成のものであり、クラッカー７の頂点部を下向き状態に落ち止め支持可能に内装体３の受座３Ｂに形成された複数の受孔３Ｆに着脱自在に取付けられる構成になっている。
【００３４】
前記連係機構８は、図１、図２、図４、図５に示すように、クラッカー７を取付け支持可能な受孔３Ｆの直下に、横軸８Ａを中心に回動自在に架設されたシーソー揺動体８Ｂを備え、このシーソー揺動体８Ｂの一方の板端８Ｂａには、受孔３Ｆに取付けられたクラッカー７の紐端７Ｂａが留め付け可能に構成され、他方の板端８Ｂｂには、分割蓋体２Ａに一端が留め付けられた引張り用紐９の他端９ａが受座３Ｂの孔３Ｇを通して留め付け可能に構成され、鏡蓋２の放射状中心部を木槌５による打撃によって、ディスプレー手段４に対応する分割蓋体２Ａの外周縁部２ａを持ち上げ状態にすることによって、引張り用紐９が引き上げられてシーソー揺動体８Ｂが横軸８Ａを中心に回動してクラッカー７の紐７Ｂを引張り動作するようになっている。
【００３５】
前記シーソー揺動体８Ｂとクラッカー７の紐７Ｂとの取付け構造、及び、シーソー揺動体８Ｂと分割蓋体２Ａに繋げられている引張り用紐９との取付け構造は、シーソー揺動体８Ｂ側に挿通孔８ａを穿孔し、これに紐端９ａを挿通して貫通端を結んで挿通孔８ａから抜け出さないようにした構造になっている。また、これ以外の構造としては、図示しないが、シーソー揺動体側の端縁部にくさび状の切れ込みを形成し、これに紐端に形成した結び目を引掛けて止め付ける構造や、シーソー揺動体に紐端を接着剤やステープラー等の止め付け手段を用いて止め付ける構造等が採用され、クラッカーの取付けや、交換を簡単に行うことができる構造が採用される。
【００３６】
また、前記引張り用紐９は、シーソー揺動体８Ｂと分割蓋体２Ａに弛みを有して繋げられ、打撃によって分割蓋体２Ａの外周縁部２ａの持ち上がり始め時点でクラッカー７は作動せず、分割蓋体２Ａの外周縁部２ａの十分に持ち上がって、クラッカー７の上方が十分に開放された時点で作動するように弛みが設定されている。
【００３７】
前記内装体３には、受座３Ｂの開口部３Ａに対応して筒状体１０が着脱自在に収容されており、この筒状体１０の上部開口部に、開口又は閉蓋された容器１１，１２が収容され、例えば、お菓子類、酒類等が収納可能に構成され、日本酒などを収納する場合、飲酒の際には、杓などによって注ぐことが可能になっている。
【００３８】
前記ディスプレー手段４に対応する分割蓋体２Ａには、放射状中心部側に位置して上方に突出する立方体形状の打撃誘導用凸部２ｄが設けられており、打撃によって分割蓋体２Ａの外周縁部２ａの持ち上がりを高くすることができ、その結果、ディスプレー手段４の演出視野を広げて、演出効果の向上を図ることができる。
【００３９】
このような構成にすることによって、図４に示すように、鏡蓋２を木槌で叩きつけるといった打撃動作、所謂、鏡開き動作に連動して、受座３Ｂを支点に鏡蓋２の分割蓋体２Ａの外周縁部２ａを持ち上げることによって、シーソー揺動体８Ｂが横軸８Ａを中心に回動してクラッカー７側の紐７Ｂを引き動作することになり、クラッカー７の上方部分が分割蓋体２Ａの持ち上げによって開放され、図５に示すように、この開放空間に向けてクラッカー７が破裂して内部のディスプレー小物７ａを飛び出させることができるので、伝統的な鏡開きといった演出に連動して、クラッカー７による演出を表出することができる。
【００４０】
しかも、正面と背面とが存在する菰樽様態又は酒樽様態の外套容器Ｂの正面部側を観者側に向け、鏡開きの打撃者を外套容器Ｂの背面側に位置した状態で、鏡蓋２の放射状中心部又は正面側の分割蓋体２Ａの打撃誘導用凸部２ｄを木槌５による打撃によって、鏡開きは背面側で演出され、ディスプレー手段は正面側で演出され、連動される二種類の演出のエリア分けが可能となる。
【００４１】
そのため、鏡開きによる演出と、ディスプレー手段による演出とが連動しながらも、観者側で両者の区分を明確に認識することができるとともに、同時に菰樽様態又は酒樽様態の外殻容器体Ｂを認識することができるので、斬新な儀式的雰囲気を形成することができる。
【００４２】
また、破裂を終えたクラッカー７を新たなものに交換することによって、繰り返しての使用が可能となる。
【００４３】
〔別実施形態〕
１）  上記実施形態では、外殻容器体Ｂが、外装体１と内装体とから構成されたものについて説明したが、本発明はこれに限らず、単独の容器体から構成されるものであってもよい。
【００４４】
２）  上記実施形態では、外殻容器体Ｂが菰樽様態又は樽様態のものについて説明したが、これに限らず、例えば、達磨様態、雪達磨様態、鏡餅様態、洋樽様態、野球やサッカーボール様態、ケーキ様態、壷様態、卵様態、野球帽子形態等の様態のものであってもよく、既存の鏡開きの多様化を図ることができる。
【００４５】
３）  上記実施形態の鏡蓋２は３枚の分割鏡蓋板２Ａ，２Ｂ，２Ｃから構成されるものについて説明したが、本発明はこれに限らず、２枚の分割鏡蓋板から構成されていても、３枚以上の枚数の分割鏡蓋板から構成されていてもよい。
また、上記実施形態の分割鏡蓋板２Ａ，２Ｂ，２Ｃは、夫々が同形状のものについて説明したが、これに限らず、複数の異型の分割鏡蓋板から構成されていてもよい。
【００４６】
４）  上記実施形態のディスプレー手段４は、鏡開きに連動してクラッカー７を破裂させる演出を表出させるものについて説明したが、本発明はこれに限らず、例えば、鏡開きに連動して二酸化炭素等を充填したボンベを開いて、ボンベに接続された風船を急速に膨らませるディスプレー手段であっても、鏡開きに連動して二酸化炭素等を充填したボンベを開いて紙吹雪を形成するディスプレー手段であってもよい。
【００４７】
５）  上記実施形態では受座３Ｂの幅広部に４つのクラッカー７を取付け支持するものについて説明したが、これに限らず、クラッカーの数が４つよりも少ない数であっても、反対に４つ以上であってもよい。
また、クラッカーの大きさにおいても、受座の幅広側の幅寸法で使用可能なものを選択使用可能である。
【００４８】
６）  ディスプレー手段４における連係機構８は上記実施形態のものに限らず、例えば、鏡蓋への打撃によって電気スイッチがＯＮ状態になり、これを受けて電磁ソレノイドの押し引き等を形成するソレノイド動作にクラッカーの紐を連係して、クラッカーを作動させる構成であっても、鏡蓋への打撃による鏡開き動作に連係するリンク機構の上下揺動部分にクラッカーの紐を連係して、クラッカーを作動させる構成であってもよい。
【図面の簡単な説明】
【００４９】
【図１】本発明を適用した鏡開き装置を示す分解斜視図
【図２】ディスプレー手段の一例を示す分解斜視図
【図３】鏡開き装置の外観を示す斜視図
【図４】木槌で鏡蓋を打撃使用とする状態を示す側断面図
【図５】鏡開きによる演出とディスプレー手段による演出を示す側断面図
【符号の説明】
【００５０】
Ａ              鏡開き装置
Ｂ              外殻容器
Ｘ１            開口部の中心
Ｘ２            鏡蓋の中心
２              鏡蓋
２ｄ            打撃誘導用凸部
２Ａ            分割蓋体
２Ｂ            分割蓋体
２Ｃ            分割蓋体
３Ａ            開口部
３Ｂ            受座
４              ディスプレー手段
７              クラッカー
７ａ            ディスプレー用小物
８              連係機構
１１            容器
１２            容器
【図１】
2006290392.tif 000003
【図２】
2006290392.tif 000004
【図３】
2006290392.tif 000005
【図４】
2006290392.tif 000006
【図５】
2006290392.tif 000007